(57)【要約】【課題】蓋と蓋用の緩衝器を具えたごみ箱の提供。【解決手段】ベース、該ベースの上に設けられる筒、筒に設けられるペダル、筒の上に設けられる蓋、連接棒機構とされ、第１制御棒と第２制御棒を具えて第１制御棒がペダルに接触する第１端及び第２端を具え、第２制御棒が第１制御棒の台２端に連接された第１端と蓋に連接された第２端を具えた上記連接棒機構、ベースと第１制御棒と第２制御棒のいずれかとの間に連接された緩衝器、以上を具えている。【選択図】　　　　図２
2004115166.tif 000002
【特許請求の範囲】
【請求項１】
ベースと、
ベースの上に設けられた筒と、
筒に設けられたペダルと、
筒の上に設けられた蓋と、
ペダルと蓋の間に配置された連接棒機構と、
ベースと連接棒機構の間に配置された緩衝器と、
を具えたことを特徴とする、ごみ箱。
【請求項２】
請求項１に記載のごみ箱において、緩衝器がベースと連接棒機構の間に連接されたスプリングを具えたことを特徴とする、ごみ箱。
【請求項３】
請求項２に記載のごみ箱において、緩衝器が第１円筒と第２円筒を具え、第１円筒が閉合端と開放端を具え、第１円筒の閉合端がベースに連接され、第１円筒の開放端にスプリングが収容され、第２円筒に開放端と閉合端があり、第２円筒の開放端にスプリングが収容され、第２円筒の閉合端が連接棒機構に連接されたことを特徴とする、ごみ箱。
【請求項４】
請求項３に記載のごみ箱において、第１円筒と第２円筒の一方が部分的に第１円筒と第２円筒のもう一方に挿入されたことを特徴とする、ごみ箱。
【請求項５】
請求項３に記載のごみ箱において、ベースが二つの耳を具え、且つ第１円筒が一つの耳を具え、第１円筒の耳がその閉合端に形成されると共にベースの耳と組み合わされたことを特徴とする、ごみ箱。
【請求項６】
請求項３に記載のごみ箱において、第２円筒が管を具え、該管が横向きに閉合端より延伸されて連接棒機構の第２制御棒を収容する第１端とされたことを特徴とする、ごみ箱。
【請求項７】
ベースと、
ベースの上に設けられた筒と、
筒に設けられたペダルと、
筒の上に設けられた蓋と、
連接棒機構とされ、第１制御棒と第２制御棒を具え、第１制御棒がペダルに接触する第１端及び第２端を具え、第２制御棒が第１制御棒の第２端に連接された第１端及び蓋に連接された第２端を具えた、上記連接棒機構と、
緩衝器とされ、ベースと、第１制御棒と第２制御棒のいずれかとの間に連接された、上記緩衝器と、
を具えたことを特徴とする、ごみ箱。
【請求項８】
請求項７に記載のごみ箱において、緩衝器がスプリングを具え、該スプリングがベースと第１制御棒或いは第２制御棒との間に連接されたことを特徴とする、ごみ箱。
【請求項９】
請求項７に記載のごみ箱において、緩衝器が、
第１円筒とされ、ベースに連接された閉合端とスプリングが挿入された開放端を具えた上記第１円筒と、第２円筒とされ、スプリングが挿入された開放端と第１制御棒或いは第２制御棒の閉合端に連接された上記第２円筒と、を具えたことを特徴とする、ごみ箱。
【請求項１０】
請求項９に記載のごみ箱において、第１円筒と第２円筒の一方が部分的に第１円筒と第２円筒のもう一方に挿入されたことを特徴とする、ごみ箱。
【請求項１１】
請求項９に記載のごみ箱において、ベースが二つの耳を具え、且つ第１円筒が一つの耳を具え、第１円筒の耳がその閉合端に形成されると共にベースの耳と組み合わされたことを特徴とする、ごみ箱。
【発明の詳細な説明】
【０００１】
【発明の属する技術分野】
本発明は一種のごみ箱に係り、特に蓋と蓋用の緩衝器を具えたごみ箱に関する。
【０００２】
【従来の技術】
人々はごみをごみ箱に廃棄する。このようなごみは廃棄後に時間が経つと悪臭を発生する。このため、ごみ箱には蓋が設けられて臭いをごみ箱内に留めるようにしたものがある。その他の実施例では、単にごみを内蔵するために蓋付きのごみ箱が使用されている。
【０００３】
このような蓋はごみ箱から取り外すことができる。しかし、このような蓋は使用者に面倒をかけ、それは使用者がごみを捨てる時に蓋を握持しなければならないか、或いはごみを廃棄する前に蓋を置く場所を探さねばならない。
【０００４】
よく目にするごみ箱は、ベースと、ベースの上に設置された筒、回転自在に筒に設けられたペダル、回転自在に筒の上部に設置された蓋を具えてい。ペダルと蓋の間には連接棒機構が設けられている。連接棒機構は第１制御棒と第２制御棒を具えている。第１制御棒は回転自在にベース上に設置されている。第１制御棒は第１端と第２端を具え、第１制御棒の第１端はペダルに接触している。第２制御棒は第１端と第２端を具え、第２制御棒の第１端は第１制御棒の第２端に連接され、第２制御棒の第２端は蓋に連接されている。具体的に述べると、第１制御棒の第２端に一つの孔が設けられて第２制御棒の第１端を収容している。これにより、ペダルが踏まれると連接棒機構を透過して蓋が持ち上げられる。しかし、蓋を閉じる時には極めて大きな騒音が発生する。本発明はこの問題を軽減さらには排除するものである。
【０００５】
【発明が解決しようとする課題】
本発明の主要な目的は、開放位置から閉合位置に移動する時の騒音が非常に小さいごみ箱を提供することにある。
【０００６】
【課題を解決するための手段】
請求項１の発明は、
ベースと、
ベースの上に設けられた筒と、
筒に設けられたペダルと、
筒の上に設けられた蓋と、
ペダルと蓋の間に配置された連接棒機構と、
ベースと連接棒機構の間に配置された緩衝器と、
を具えたことを特徴とする、ごみ箱としている。
請求項２の発明は、請求項１に記載のごみ箱において、緩衝器がベースと連接棒機構の間に連接されたスプリングを具えたことを特徴とする、ごみ箱としている。
請求項３の発明は、請求項２に記載のごみ箱において、緩衝器が第１円筒と第２円筒を具え、第１円筒が閉合端と開放端を具え、第１円筒の閉合端がベースに連接され、第１円筒の開放端にスプリングが収容され、第２円筒に開放端と閉合端があり、第２円筒の開放端にスプリングが収容され、第２円筒の閉合端が連接棒機構に連接されたことを特徴とする、ごみ箱としている。
請求項４の発明は、請求項３に記載のごみ箱において、第１円筒と第２円筒の一方が部分的に第１円筒と第２円筒のもう一方に挿入されたことを特徴とする、ごみ箱としている。
請求項５の発明は、請求項３に記載のごみ箱において、ベースが二つの耳を具え、且つ第１円筒が一つの耳を具え、第１円筒の耳がその閉合端に形成されると共にベースの耳と組み合わされたことを特徴とする、ごみ箱としている。
請求項６の発明は、請求項３に記載のごみ箱において、第２円筒が管を具え、該管が横向きに閉合端より延伸されて連接棒機構の第２制御棒を収容する第１端とされたことを特徴とする、ごみ箱としている。
請求項７の発明は、
ベースと、
ベースの上に設けられた筒と、
筒に設けられたペダルと、
筒の上に設けられた蓋と、
連接棒機構とされ、第１制御棒と第２制御棒を具え、第１制御棒がペダルに接触する第１端及び第２端を具え、第２制御棒が第１制御棒の第２端に連接された第１端及び蓋に連接された第２端を具えた、上記連接棒機構と、
緩衝器とされ、ベースと、第１制御棒と第２制御棒のいずれかとの間に連接された、上記緩衝器と、
を具えたことを特徴とする、ごみ箱としている。
請求項８の発明は、請求項７に記載のごみ箱において、緩衝器がスプリングを具え、該スプリングがベースと第１制御棒或いは第２制御棒との間に連接されたことを特徴とする、ごみ箱としている。
請求項９の発明は、請求項７に記載のごみ箱において、緩衝器が、
第１円筒とされ、ベースに連接された閉合端とスプリングが挿入された開放端を具えた上記第１円筒と、第２円筒とされ、スプリングが挿入された開放端と第１制御棒或いは第２制御棒の閉合端に連接された上記第２円筒と、を具えたことを特徴とする、ごみ箱としている。
請求項１０の発明は、請求項９に記載のごみ箱において、第１円筒と第２円筒の一方が部分的に第１円筒と第２円筒のもう一方に挿入されたことを特徴とする、ごみ箱としている。
請求項１１の発明は、請求項９に記載のごみ箱において、ベースが二つの耳を具え、且つ第１円筒が一つの耳を具え、第１円筒の耳がその閉合端に形成されると共にベースの耳と組み合わされたことを特徴とする、ごみ箱としている。
【０００７】
【発明の実施の形態】
本発明のごみ箱は、ベース、該ベースの上に設けられた筒と、筒に回転自在に設けられたペダルと、筒の上に回転自在に設けられた蓋と、ペダルと蓋の間に配置された連接棒機構と、ベースと連接棒機構の間に配置された緩衝器とを具えている。
緩衝器はベースと連接棒機構の間に連接されたスプリングを具えている。緩衝器はさらに第１円筒と第２円筒を具え、第１円筒はベースに連接された閉合端とスプリングが挿入される開放端を具え、第２円筒はスプリングが挿入される開放端と連接棒機構に連接された閉合端を具えている。
第１円筒と第２円筒のうち一方は一部が第１円筒と第２円筒のもう一方に挿入されている。第１円筒は部分的に第２円筒に挿入されうる。緩衝器は第１円筒に套設されたリングを具えている。緩衝器はさらに溝を具え、該溝は第１円筒の外周に設けられてリングを収容する。
ベースは一体に形成された二つの耳を具えている。第１円筒は一つの耳を具え、耳は閉合端に形成され且つベースの耳と組合せられる。各一つのベースの耳は一つの突起物を具え、突起物はもう一つのベースの耳の突起物と対応し、第１円筒の耳に二つの凹部が形成されベースの耳の突起物を収容する。
第２円筒は管を具え、管に横向きに閉合端より延伸されて第２制御棒を収容する第１端が設けられている。
【０００８】
【実施例】
図１に示されるように、本発明のごみ箱２は、ベース４と、ベース４の上に設置された筒６と、回転自在に筒６に設けられたペダル８と、回転自在に筒６の上に設けられた蓋１０とを具えている。
【０００９】
図２に示されるように、連接棒機構１２は図１に示されるごみ箱のペダル８と蓋１０の間に配置されている。連接棒機構１２は第１制御棒１４と第２制御棒１６を具えている。第１制御棒１４は回転自在にベース４上に設けられている。第１制御棒１４は第１端と第２端を具え、第１制御棒１４の第１端はペダル８に接触する。第２制御棒１６は第１端と第２端を具え、第２制御棒１６の第１端は第１制御棒１４の第２端に連接され、第２制御棒１６の第２端は蓋１０に連接されている。具体的には、第１制御棒１４の第２端が一つの孔を画定して第２制御棒１６の第１端を収容している。こうして、ペダル８が踏まれることにより連接棒機構１２を透過して蓋１０が回転して開く。
【００１０】
図２は本発明の好ましい実施例の緩衝器１８を示す。それは図１に示されるごみ箱に使用される。緩衝器１８はベース４と連接棒機構の１２の間に配置される。
【００１１】
緩衝器１８を枢接するため、ベース４は二つの耳２０と、耳２０より突出する突起物２２を具え、突起物２２はもう一つの耳２０の突起物と対向する。
【００１２】
緩衝器１８は第１円筒２４お具え、それは閉合端と開放端を具えている。第１円筒２４の閉合端に耳２６がある。耳２６の両側に二つの凹部２８が形成されている。耳２６が耳２０の間に挿入され、突起物２２が凹部２８に収容される。これにより、第１円筒２４が回転自在に一対の耳２０に連結される。溝３０が第１円筒２４の開放端近くに環状に設けられている。リング３２が該溝３０に収容されている。
【００１３】
緩衝器１８はさらに第１円筒２４に収容されたスプリング３４を具えている。
【００１４】
緩衝器１８はさらに第２円筒３６を具え、該第２円筒３６は閉合端と開放端を具えている。第２円筒３６は管３８を具え、該管３８は横向きに閉合端より延伸されている。第２円筒３６は第１円筒２４に套設される。第２制御棒１６の第１端が管３８に挿入される。こうして第２円筒３６が回転自在に第２制御棒１６に連接されている。
【００１５】
図３と図４はごみ箱２が緩衝器１８の収縮した閉合位置にある状態を示す。スプリング３４は圧縮されている。
【００１６】
図５と図６は蓋１０が回転してごみ箱２が完全に開放された状態を示す。緩衝器１８は完全に伸張し、且つスプリング３４は圧縮されていない。
【００１７】
図７を参照されたい。蓋１０が開放されてその重量により下降する時、蓋１０の移動は緩衝器１８により緩衝或いは妨害され、これはそれが連接棒機構１２に連接されていることによる。
【００１８】
図８に示されるように、下降する蓋１０の緩衝能力を高めるため、第１円筒２４と第２円筒３６の間に一つの切欠きが形成され、並びにダンパオイルがこの切欠きに入れられる。
【００１９】
本発明は最良の実施例の詳細な図面により記載されている。この技術に習熟する者がこの実施例より派生させる多くの変化はいずれも本発明の請求範囲に属するものとする。
【００２０】
【発明の効果】
本発明は、開放位置から閉合位置に移動する時の騒音が非常に小さいごみ箱を提供している。
【図面の簡単な説明】
【図１】本発明の筒と蓋を具えたごみ箱の外観図である。
【図２】図１に示されるごみ箱の蓋に使用される本発明の緩衝器を表示する分解図である。
【図３】図１に示されるごみ箱に配備される図２の緩衝器を示す横切断図である。
【図４】図３の４−４断面図である。
【図５】図３と同じであるが、ごみ箱が完全に開かれた位置における横切断図である。
【図６】図５の６−６断面図である。
【図７】図６と同じであるが、ごみ箱の異なる位置における横切断図である。
【図８】図７の緩衝器の拡大横切断図である。
【符号の説明】
２　ごみ箱　　　　　　４　ベース
６　筒　　　　　　　　８　ペダル
１０　蓋　　　　　　１２　連接棒機構
１４　第１制御棒　　１６　第２制御棒
１８　緩衝器　　　　２０　耳
２２　突起物　　　　２４　第１円筒
２６　耳　　　　　　２８　凹部
３０　溝　　　　　　３２　リング
３４　スプリング　　３６　第２円筒
３８　管
【図１】
2004115166.tif 000003
【図２】
2004115166.tif 000004
【図３】
2004115166.tif 000005
【図４】
2004115166.tif 000006
【図５】
2004115166.tif 000007
【図６】
2004115166.tif 000008
【図７】
2004115166.tif 000009
【図８】
2004115166.tif 000010